(57)【要約】【課題】  本発明の目的は、コンパクトな電動工具を提供することにある。【課題を解決するための手段】  モーターと、該モーターの回転力を伝達する遊星歯車機構と、該遊星歯車機構の一部であり、外周が平坦で内周に歯を有する環状の固定歯車と、該遊星歯車機構より回転力を伝達され、回転方向の打撃力を発生するインパクト機構部と、該モーターを収容するハウジングと、該インパクト機構部を収容し、該ハウジングに接続されるハンマケースと、該ハンマケースと該ハウジングとの間に設けられるインナカバと、該ハンマケース及び該インナカバを該ハウジングに対して固定するねじ部材と、を有する電動工具において、該固定歯車は該ハンマケースと該インナカバとの間に設けられ、該固定歯車の軸方向の厚さは、該ねじ部材を締め付けることによって該ハンマケースと該インナカバとの間に挟まれるように設定する。【選択図】図２
2006102926.tif 000002
【特許請求の範囲】
【請求項１】
モーターと、
該モーターの回転力を伝達する遊星歯車機構と、
該遊星歯車機構の一部であり、外周が平坦で内周に歯を有する環状の固定歯車と、
該遊星歯車機構より回転力を伝達され、回転方向の打撃力を発生するインパクト機構部と、
該モーターを収容するハウジングと、
該インパクト機構部を収容し、該ハウジングに接続されるハンマケースと、
該ハンマケースと該ハウジングとの間に設けられるインナカバと、
該ハンマケース及び該インナカバを該ハウジングに対して固定するねじ部材と、
を有する電動工具において、
該固定歯車は該ハンマケースと該インナカバとの間に設けられ、該固定歯車の軸方向の厚さは、該ねじ部材を締め付けることによって該ハンマケースと該インナカバとの間に挟まれるように設定されることを特徴とする電動工具。
【請求項２】
該ハンマケースは金属からなり、該ねじ部材の軸部が挿通される穴部を有し、該ハウジングは樹脂からなり、該ねじ部材の軸部と螺合する金属製のめねじ部材が該ハウジングに設けられ、該ねじ部材は該穴部から挿入されて該めねじ部材に螺合することを特徴とする請求項１記載の電動工具。
【発明の詳細な説明】
【技術分野】
【０００１】
本発明は、電動工具の小型化に関するものであり、また遊星歯車機構を備えた電動工具の固定歯車を支持する構造に関するものである。
【背景技術】
【０００２】
電動工具は建築現場や組立て工場などで多用されている。入り組んだ場所で作業する場合が多く、取り回ししやすくするために電動工具の小型化が求められている。電動工具を小型化する技術として、例えば特許文献１に記載された技術や、図４に示す電動工具が挙げられる。
【０００３】
特許文献１の図１及び図２には、内周に歯車を有する固定歯車と、固定歯車を保持する固定歯車支持部材とを有する電動工具において、固定歯車の側面に突起部を設けると共に、支持部材に突起部と係合する穴部を設けることが記載されている。このようにすれば、電動工具の外径を大きくすることなく、固定歯車の回り止めを行うことができる。
【０００４】
図４に示す電動工具は、スピンドルを支持する軸受と、モーターの回転子に圧入されたピニオンギヤを支持する軸受とが、軸方向でオーバーラップするように構成されている。このようにすれば、軸受をオーバーラップさせた分だけ電動工具の全長を短くすることができる。固定歯車の回り止めは、固定歯車の外周に設けられた突起部と、ハンマケースに設けられた溝部との係合によってなされる。
【０００５】
【特許文献１】特開２００２−３５５７６７号公報
【発明の開示】
【発明が解決しようとする課題】
【０００６】
図４に示す電動工具の外径を小さくするために、特許文献１に記載されたように突起部を固定歯車の側面に設けようとすると、突起部がスピンドルの軸受に緩衝してしまい、全長を長くせざるを得なくなる。
【０００７】
本発明の目的は、上記問題を解決し、コンパクトな電動工具を提供することにある。
【課題を解決するための手段】
【０００８】
モーターと、該モーターの回転力を伝達する遊星歯車機構と、該遊星歯車機構の一部であり、外周が平坦で内周に歯を有する環状の固定歯車と、該遊星歯車機構より回転力を伝達され、回転方向の打撃力を発生するインパクト機構部と、該モーターを収容するハウジングと、該インパクト機構部を収容し、該ハウジングに接続されるハンマケースと、該ハンマケースと該ハウジングとの間に設けられるインナカバと、該ハンマケース及び該インナカバを該ハウジングに対して固定するねじ部材と、を有する電動工具において、該固定歯車は該ハンマケースと該インナカバとの間に設けられ、該固定歯車の軸方向の厚さは、該ねじ部材を締め付けることによって該ハンマケースと該インナカバとの間に挟まれるように設定する。このようにすれば、固定歯車とハンマケース及びインナカバとの間に大きな摩擦力が生じ、摩擦力によって固定歯車の回転を抑えることができる。
【０００９】
また好ましくは、該ハンマケースは金属からなり、該ねじ部材の軸部が挿通される穴部を有し、該ハウジングは樹脂からなり、該ねじ部材の軸部と螺合する金属製のめねじ部材が該ハウジングに設けられ、該ねじ部材は該穴部から挿入されて該めねじ部材に螺合するように構成する。このようにすれば、樹脂製のハウジングにめねじ部を形成するのと比べてめねじの強度が向上するので、ねじ部材をより大きな力で締め付けることができる。これにより固定歯車とハンマケース及びインナカバとの間に生ずる摩擦力が大きくなり、より確実に固定歯車の回転を抑えることができる。
【発明の効果】
【００１０】
請求項１記載の構成によれば、固定歯車とハンマケース及びインナカバとの間に大きな摩擦力が生じ、摩擦力によって固定歯車の回転を抑えることができる。よって固定歯車の回転を規制するために突起部を設けることなく、固定歯車の回り止めを行うことができる。従ってコンパクトな電動工具を提供することができる。
【００１１】
請求項２記載の構成によれば、樹脂製のハウジングにめねじ部を形成するのと比べてめねじの強度が向上するので、ねじ部材をより大きな力で締め付けることができる。これにより固定歯車とハンマケース及びインナカバとの間に生ずる摩擦力が大きくなり、より確実に固定歯車の回転を抑えることができる。従ってコンパクトな電動工具を提供することができる。
【発明を実施するための最良の形態】
【００１２】
本発明になる遊星歯車減速機構を図１及び図２を用いて説明する。
【００１３】
モーターのシャフト１にはピニオン２が形成されている。ピニオン２はアイドルギヤ３と噛み合い、アイドルギヤ３は固定歯車であるリングギヤ１０と噛み合う。アイドルギヤ３は、スピンドル４のツバ５に設けられたニードルローラ６に回転可能に支持されている。シャフト１を回転可能に支持する軸受７とスピンドル４を回転可能に支持する軸受８は、インナカバ９に支持されている。インナカバ９とリングギヤ１０は、径方向をハンマケース１１に支持されている。リングギヤ１０はハンマケース１１とインナカバ９とで挟まれ、インナカバ９のリングギヤ１０に対して反対側の端面は、樹脂製のハウジング１２に当接している。
【００１４】
電動工具の全長が短くなるよう、スピンドルを支持する軸受８と、シャフト１を支持する軸受７とは、軸方向でオーバーラップするように構成されている。
【００１５】
ハウジング１２には、あらかじめめねじが形成されためねじ部材である金属製のインサートスクリュー１３が一体成形されている。またリングギヤ１０はハンマケース１１とインナカバ９との間に設けられている。ねじ部材である六角穴付きボルト１６をハンマケース１１に形成された穴部から挿入してインサートスクリュー１３と螺合させ、六角穴付きボルト１６を締め付けることによって、ハンマケース１１、インナカバ９及びハウジング１２が互いに固定される。インサートスクリューを使用することにより、高強度の鋼ボルトを螺合させることができるので、インパクトレンチのように、スピンドル、ギヤ部及びねじ座面に軸方向の衝撃荷重と回転方向の衝撃トルクが加わっても、ボルトのねじ頭が破断するなどの不具合が生じない。
【００１６】
リングギヤ１０の外周には突起がなく平坦であり、リングギヤ１０の軸方向の厚さは、ねじ部材を締め付けることによって該ハンマケース１１と該インナカバ９との間に挟まれるように設定される。これにより、リングギヤ１０とハンマケース１１及びインナカバ９との間に大きな摩擦力が生じ、摩擦力によってリングギヤ１０の回転を抑えることができる。よってリングギヤ１０の回転を規制するために突起部を設ける必要がなくなる。従って電動工具の外径と全長の両方を小さくすることができる。
【００１７】
めねじを金属製のインサートスクリュー１３に形成したので、ハンマケース１１、インナカバ９及びハウジング１２が発熱しても強度は低下しない。よってボルトの１４の軸力を大きく設定しても、めねじの変形によって低下することがない。また、高強度の鋼ボルトを螺合させることができるようになる。よってボルト１６の軸力を大きく設定してリングギヤ１０の回り止めを確実に行うことができ、遊星歯車減速機構の動作が安定する。
【００１８】
ハウジング１２のインナカバ９と当接する端面には、凸部１４が設けられる。ハウジング１２は凸部１４のみでインナカバ９と当接するので、ハウジング１２の全面で当接するのと比べて、寸法精度を調整しやすい。よってハウジング１２の成形が容易になる。
【図面の簡単な説明】
【００１９】
【図１】本発明の実施の形態に係る電動工具の要部構造断面図
【図２】図１のＡ−Ａ線断面図
【図３】図１においてハウジングのみをＢ方向から見た状態を示す図
【図４】従来の電動工具の全体構造断面図
【符号の説明】
【００２０】
１  シャフト
２  ピニオン
３  アイドルギヤ
４  スピンドル
５  ツバ
６  ニードルローラ
７  軸受
８  軸受
９  インナカバ
１０  リングギヤ
１１  ハンマケース
１２  ハウジング
１３  インサートスクリュー
１４  凸部
１５  ねじボス部
１６  ボルト
【図１】
2006102926.tif 000003
【図２】
2006102926.tif 000004
【図３】
2006102926.tif 000005
【図４】
2006102926.tif 000006